(57)【要約】【課題】肌に密着する肌着を着用して街頭を歩いても、男性の腹部を整容し、アンダーシャツの裾がたくりあがり、着心地が悪く違和感が生じることがなく、アンダーシャツの裾がたくりあがり腹部が露出する度にアンダーシャツをズボンの中に入れ直す必要がない男性用肌着を提供する。【解決手段】前身頃片１、後身頃片２、右袖部片３及び左袖部片３から形成された男性用肌着において、前身頃片１の裾部下縁１１を円弧状に形成し、後身頃片の裾部下縁２１を直線状に形成し、前身頃片１の裾部下縁１１の円弧状下端部１２を後身頃片の裾部下縁２１より下方に位置するように長くＬ形成するとともに、前身頃片１と後身頃片１の胸幅Ｂより前身頃片１と後身頃片２の裾部下縁幅Ｗを広く形成した男性用肌着を構成するものである。【選択図】図１
2008214796.tif 000002
【特許請求の範囲】
【請求項１】
前身頃片、後身頃片、右袖部片及び左袖部片から形成された男性用肌着において、前記前身頃片の裾部下縁を円弧状に形成し、前記後身頃片の裾部下縁を直線状に形成し、前記前身頃片の裾部下縁の円弧状下端部を前記後身頃片の裾部下縁より下方に位置するように長く形成するとともに、前記前身頃片と後身頃片の胸幅より前記前身頃片と後身頃片の裾部下縁幅を広く形成したことを特徴とする男性用肌着。
【請求項２】
前記前身頃片の裾部下縁は、前記後身頃片の裾部下縁より１ｃｍないし５ｃｍ下方に位置するように長く形成してなる請求項１記載の男性用肌着。
【請求項３】
前記前身頃片と後身頃片との裾部下縁幅は、前記前身頃片と後身頃片との胸幅より１ｃｍないし５ｃｍ広く形成してなる請求項１記載の男性用肌着。
【発明の詳細な説明】
【技術分野】
【０００１】
本発明は、男性用肌着に関し、特に、中年以降の肥満型男性用アンダーシャツに関するものである。
【背景技術】
【０００２】
近来、男性、特に中年以降の男性は腹部に脂肪が沈着して突出する傾向がある。そしてアンダーシャツをズボンの中に入れて着用しても、動いている間にアンダーシャツの裾がたくりあがり、着心地が悪く違和感が生じる。また、アンダーシャツの裾がたくりあがり、腹部が露出する度に、アンダーシャツをズボンの中に入れ直すのに手間がかかる不便がある。
【０００３】
しかしながら、現状の男性用肌着、特に中年以降の男性が着用するアンダーシャツは、その裾部は前身頃片と後身頃片とも丈方向の長さが等しいので、アンダーシャツの裾が持ち上がり着心地が悪く腹部が冷えてしまうことがある欠点がある。
【０００４】
また、腹部が膨満している中年以降の男性が、前身頃片と後身頃片との胸幅と前身頃片と後身頃片の裾部下端幅とが同一に形成した肌着を着用すると、腹部が圧迫されて窮屈であり、その裾部が前身頃片と後身頃片とも丈方向の長さの等しいアンダーシャツを着用すると、ますますアンダーシャツの裾がたくりあがり着心地が悪いばかりでなく、冬季や冷寒地等において腹部が冷えてしまうことがあり不快感を惹起する。
【０００５】
一般に、腹部が膨張している妊婦は、前身頃片と後身頃片の胸幅より前身頃片と後身頃片の裾部下端幅が広く形成した肌着を着用することは知られているが、前身頃片の裾部が後身頃片の裾部より丈方向の長さが長いものはない。
せいぜい、着用時、特に前傾姿勢の時に、腰部が肌着から露出するのを防止するために、前身頃片の裾部より後身頃片の裾部の丈方向の長さを長く形成した肌着が公知である程度である。
【特許文献１】特開平８−２１８２０２号公報
【特許文献２】実用新案登録第３０７０８１７号公報
【０００６】
しかしながら、前身頃片の裾部が後身頃片の裾部より短い肌着を腹部が肥満した男性が着用すると、ますますアンダーシャツの裾が持ち上がってしまう。
【０００７】
更に、腹部が膨張している妊婦は、前身頃片と後身頃片との胸幅より前身頃片と後身頃片の裾部下端幅が広く形成した肌着を着用しても、同様に腹部が膨張した男性が着用すると、アンダーシャツの裾が持ち上がってしまう。
【発明の開示】
【発明が解決しようとする課題】
【０００８】
本発明は、上述の現状の欠点を解決するために、肌に密着する肌着を着用して街頭を歩いても、男性の腹部を整容し、アンダーシャツの裾がたくりあがり、着心地が悪く違和感が生じることがなく、アンダーシャツの裾がたくりあがり、腹部が露出する度にアンダーシャツをズボンの中に入れ直す必要がない男性用肌着を提供するものである。
【課題を解決するための手段】
【０００９】
本発明は、上記課題を解決するために、前身頃片、後身頃片、右袖部片及び左袖部片から形成された男性用肌着において、前記前身頃片の裾部下縁を円弧状に形成し、前記後身頃片の裾部下縁を直線状に形成し、前記前身頃片の裾部下縁の円弧状下端部を、前記後身頃片の裾部下縁より下方に位置するように長く形成するとともに、前記前身頃片と後身頃片との胸幅より前記前身頃片と後身頃片の裾部下縁幅を広く形成した男性用肌着を構成するものである。
【発明の効果】
【００１０】
本発明の男性用下着は、上述のような構成とすることにより、肌に密着する肌着を着用して街頭を歩いても、男性の腹部を整容し、アンダーシャツの裾がたくりあがり、着心地が悪く違和感が生じることがなく、アンダーシャツの裾がたくりあがり腹部が露出する度にアンダーシャツをズボンの中に入れ直す必要がない。
したがって、肌着全体に滑らかな膨出部が形成され、腹部を自然に包み込むことができ、腹部に圧迫感がなく、自然の体形に適合し、かつ全体が体形に密着して蒸れを生じることがなく、着用感が良好である。
【００１１】
更に、嵩張って着用感や品位が低下する恐れがなく、また、前身頃部と前身頃部と袖部との縫合だけで、縫製工程が省略でき、作業能率を向上することができる。
【発明を実施するための最良の形態】
【００１２】
以下、本発明を一実施例について説明するのが、本発明はこの範囲に限定されるものではない。
【００１３】
本発明を構成する男性用肌着は、図１、図２に示すように、前身頃片１、後身頃片２、右袖部片３及び左袖部片４から形成され、右袖部片３及び左袖部片４はそれぞれ前身頃片１と後身頃片４とに縫着している。前身頃片１には首回り片５を縫着している。なお、右袖部片３及び左袖部片４に前身頃片１及び後身頃片２を襠部片を介して縫着してもよい。
【００１４】
前身頃片１の裾部下縁１１を円弧状に形成し、後身頃片２の裾部下縁２１を直線状に形成し、前身頃片１の裾部下縁１１の円弧状下端部１２を後身頃片２の裾部下縁２１より距離Ｌだけ下方に長く形成するとともに、前身頃片１と後身頃片２の胸幅Ｂより前身頃片１と後身頃片２の裾部下縁幅Ｗを広く形成する。
【００１５】
なお、図３に示すように、前身頃片１の裾部下縁１１の両端部７，８を後身頃片２の裾部下縁２１より距離Ｍだけ下方に長くして、前身頃片１の裾部下縁１１の円弧状下縁１２を後身頃片２の裾部下縁２１より更に下方に距離Ｍ＋Ｌだけ長く形成してもよい。
【００１６】
前身頃片１、後身頃片２、右袖部片３及び左袖部片４からなる編地は、例えば、４０番手の綿糸、又は、４０番手の綿糸９５％とアクリル紡績糸１０％の比率で使用し、首回り片５は、例えば４０番手の綿糸９５％とポリウレタン弾性糸５％の比率で使用して製織した生地を、前身頃１の首回り部に裏面から縫着してもよい。そして、例えば、１枚の筒状編地を前身頃左片１、後身頃片２、右袖部片３及び左袖部片４に裁断し、互いに縫合している。
【００１７】
また、前身頃片１、後身頃片２、右袖部片３及び左袖部片４からなる編地は、着用する人体の体形の大きさＳ，Ｍ，Ｌ，ＬＬに応じて、例えば、丈長５０ｃｍから８０ｃｍ、胸幅Ｂを５０ｃｍから７０ｃｍ、裾部下縁幅Ｗを５１ｃｍから７５ｃｍに変更し、前身頃片１の裾部下縁１１を後身頃片２の裾部下縁２１より１ｃｍから５ｃｍまで下方に位置Ｌするように長く形成するとともに、前身頃片１と後身頃片２との胸幅Ｂより前身頃片１と後身頃片２の裾部下縁幅Ｗを１ｃｍから５ｃｍまで広く形成する。
【産業上の利用可能性】
【００１８】
本発明の男性用肌着として、アンダーシャツについて説明したが、これに限定されるものでなく、シャツその他トレーニングシャツ等の各種の類似の衣類にも適用され、実施することができる。また、前身頃片、後身頃片、右袖部片及び左袖部片の寸法、形状は、必要に応じて適宜変更が可能であり、その形状も本発明の範囲において変更が可能である。
【図面の簡単な説明】
【００１９】
【図１】本発明の一実施例を示す男性用肌着の前身頃を示す正面図である。
【図２】本発明の一実施例を示す男性用肌着の後身頃を示す背面図である。
【図３】本発明の他の実施例を示す男性用肌着の前身頃を示す正面図である。
【符号の説明】
【００２０】
１         
前身頃片
１１       
前身頃片の裾部下縁
１２ 
前身頃片の裾部下縁の円弧状下端部
２         
後身頃片
２１       
後身頃片の裾部下縁
３         
右袖部片
４         
左袖部片
５         
首回り片
７，８     
裾部下縁の両端部
Ｂ         
胸幅整容用重合片
Ｗ         
後身頃片の裾部下縁幅
Ｌ         
前身頃片裾部下縁の円弧状下端部と後身頃片の裾部下縁との距離
Ｍ         
後身頃片の裾部下縁と裾部下縁の両端部との距離
【図１】
2008214796.tif 000003
【図２】
2008214796.tif 000004
【図３】
2008214796.tif 000005